(57)【要約】【課題】例えば、明るさが一様な画像を表示し、且つ表示されるべき色で画像を表示する。【解決手段】カラーフィルタ（２６Ｒａ）及び（２６Ｒｂ）の夫々の厚み（ｄａ）及び（ｄｂ）の夫々は、視点（Ｐ１）で観測される第１表示光（Ｌａ）及び第２表示光（Ｌｂ）相互に生じる視差を低減するように設定されている。より具体的には、カラーフィルタ（２６Ｒｂ）の厚み（ｄｂ）は、カラーフィルタ（２６Ｒａ）の厚み（ｄａ）より薄く設定されている。したがって、液晶装置（１）によれば、カラーフィルタ（２６Ｒａ）及び（２６Ｒｂ）の夫々の厚み（ｄａ）及び（ｄｂ）の夫々を相互に一様に設定する場合に比べて、第２表示光（Ｌｂ）がカラーフィルタ（２６Ｒｂ）を透過する際のカラーフィルタ（２６Ｒｂ）内の光路長（ＰＬｂ）と、カラーフィルタ（２６Ｒａ）内における第１表示光（Ｌａ）の光路長（ＰＬａ）とを相互に揃えることができる。【選択図】図８
2010054775.tif 000002
【特許請求の範囲】
【請求項１】
基板上の表示領域を見るユーザの視点の位置が、平面的に見て前記表示領域における所定の位置に固定される電気光学装置であって、
前記表示領域を構成する複数の画素領域のうち前記所定の位置に設けられた第１画素領域に重なる第１カラーフィルタと、
前記複数の画素領域のうち前記所定の位置よりも前記表示領域の外側寄りに設けられた第２画素領域に重なる第２カラーフィルタとを備え、
前記第１カラーフィルタの色相は前記第２カラーフィルタの色相と同じであり、
前記第１カラーフィルタ及び前記第２カラーフィルタの夫々の厚みは、前記第１カラーフィルタを透過した第１表示光と前記第２カラーフィルタを透過した第２表示光との夫々を前記視点で観測した際、前記第１表示光の色の濃度と前記第２表示光の色の濃度との差が低減されるように設定されていること
を特徴とする電気光学装置。
【請求項２】
前記第２カラーフィルタの厚みは、前記第１カラーフィルタの厚みより薄いこと
を特徴とする請求項１に記載の電気光学装置。
【請求項３】
請求項１又は２に記載の電気光学装置を具備してなること
を特徴とする電子機器。
【発明の詳細な説明】
【技術分野】
【０００１】
本発明は、例えば、カラー画像を表示可能な液晶装置等の電気光学装置、及びそのような電気光学装置を備えたヘッドマウントディスプレイ（頭部装着型表示装置（以下、“ＨＭＤ”と称す。））或いは電子ビューファインダ（以下、“ＥＶＦ”と称す。）等の電子機器の技術分野に関する。
【背景技術】
【０００２】
この種の電気光学装置の一例である液晶装置では、通常、複数種のカラーフィルタを透過した赤色（Ｒ）、緑色（Ｇ）及び青色（Ｂ）の３種類の色光によってカラー画像が表示される。特許文献１によれば、カラーフィルタが設けられるガラス基板の厚みに起因して発生する混色を低減することが可能な液晶表示装置が提案されている。特許文献２及び３によれば、表示領域を見る視点の位置に応じて発生し得る開口率の低下、及び表示される映像の歪みの夫々を抑制可能な表示装置が提案されている。
【０００３】
【特許文献１】実開平６−５５１３７号公報
【特許文献２】特開平１１−３８４２６号公報
【特許文献３】特開２００５−２５７７５８号公報
【発明の開示】
【発明が解決しようとする課題】
【０００４】
この種の電気光学装置では、表示領域に対する視点の相対的な位置はほぼ固定されている。表示領域全体に渡ってカラーフィルタが一様な厚みで形成されている場合、表示領域のうち視点と平面的に重なる位置（例えば、表示領域の中央）に設けられたカラーフィルタを透過する第１の光と、視点と平面的に重なる位置よりも表示領域の外側寄りに設けられたカラーフィルタを透過する第２の光との夫々が視点に到達した際、カラーフィルタ内部におけるこれら光の夫々の光路長は相互に異なるため、第１の光の明るさや色の濃度が第２の光の明るさや色の濃度と同じ表示を行うべき場合であっても、第１の光の明るさや色の濃度が第２の光の明るさや色の濃度と異なってしまう。
【０００５】
より具体的には、視点と平面的に重なる位置（例えば、表示領域の中央）に設けられたカラーフィルタを透過して視点に到達する第１の光は、当該カラーフィルタの厚み方向に沿って入射して透過した光であるのに対し、視点と平面的に重なる位置よりも表示領域の外側寄りに設けられたカラーフィルタを透過して視点に到達する第２の光は、当該カラーフィルタの厚み方向に対して斜めに入射して透過した光である。
【０００６】
したがって、仮に表示領域全体に渡って一様な厚みを有するカラーフィルタを形成したとしても、第１の光と第２の光のカラーフィルタ内における光路長が相互に異なるため、表示領域に表示される画像の明るさにムラが発生したり、表示領域に表示される画像の色相が、本来表示されるべき色相と異なったりする問題点が生じる。
【０００７】
特に、画像が表示される表示領域に対して平面的に見て視点の位置が固定され、且つ視点が表示面に近接した状態で使用されるようなＨＭＤ或いはＥＶＦ等の電子機器に搭載される液晶装置等の電気光学装置においては、表示領域内のある画素領域と視点とを結ぶ視線が表示面となす角度が画素領域の位置によって大きく異なるため、このような問題点が顕著になる。
【０００８】
よって、本発明は上記問題点等に鑑みてなされたものであり、例えば、明るさが一様な画像を表示し、且つ表示されるべき色で画像を表示可能な液晶装置等の電気光学装置、及び、そのような電気光学装置を具備してなる電子機器を課題とする。
【課題を解決するための手段】
【０００９】
本発明に係る電気光学装置は上記課題を解決するために、基板上の表示領域を見るユーザの視点の位置が、平面的に見て前記表示領域における所定の位置に固定される電気光学装置であって、前記表示領域を構成する複数の画素領域のうち前記所定の位置に設けられた第１画素領域に重なる第１カラーフィルタと、前記複数の画素領域のうち前記所定の位置よりも前記表示領域の外側寄りに設けられた第２画素領域に重なる第２カラーフィルタとを備え、前記第１カラーフィルタの色相は前記第２カラーフィルタの色相と同じであり、前記第１カラーフィルタ及び前記第２カラーフィルタの夫々の厚みは、前記第１カラーフィルタを透過した第１表示光と前記第２カラーフィルタを透過した第２表示光との夫々を前記視点で観測した際、前記第１表示光の色の濃度と前記第２表示光の色の濃度との差が低減されるように設定されている。
【００１０】
本発明に係る電気光学装置によれば、当該電気光学装置は、その動作時に、基板上の表示領域を見るユーザの視点の位置が、平面的に見て前記表示領域における、例えば、表示領域の中央部である所定の位置に固定された状態で使用され、表示領域に画像を表示する。
【００１１】
第１カラーフィルタは、前記表示領域を構成する複数の画素領域のうち前記所定の位置に形成された第１画素領域に重なっており、第１画素領域で変調された光のうち第１カラーフィルタを透過可能な色光を第１表示光として透過させる。
【００１２】
第２カラーフィルタは、前記複数の画素領域のうち前記所定の位置から見て前記表示領域の外側寄りに形成された第２画素領域に重なっており、第２画素領域で変調された光のうち第２カラーフィルタを透過可能な色光を第２表示光として透過させる。
【００１３】
前記第１カラーフィルタの色相は前記第２カラーフィルタの色相と同じであり、前記第１カラーフィルタ及び前記第２カラーフィルタの夫々の厚みは、前記第１カラーフィルタを透過した第１表示光と前記第２カラーフィルタを透過した第２表示光との夫々を前記視点で観測した際、前記第１表示光の色の濃度と前記第２表示光の色の濃度との差が低減されるように設定されている。より具体的には、例えば、第１表示光及び第２表示光の夫々が第１カラーフィルタ及び第２カラーフィルタの夫々を透過する際の光路長が相互に略等しくなるように、第１カラーフィルタ及び第２カラーフィルタの夫々の厚みが設定されている。
【００１４】
したがって、本発明に係る電気光学装置によれば、第１表示光及び第２表示光の夫々の光路長の違いによって発生する明るさや色の濃度の差を低減できるため、表示領域に表示される画像の明るさにムラが発生したり、表示領域に表示される画像の色相が、本来表示されるべき色相と異なったりすることを低減でき、当該電気光学装置の表示性能を高めることが可能である。
【００１５】
本発明に係る電気光学装置の一の態様では、前記第２カラーフィルタの厚みは、前記第１カラーフィルタの厚みより薄くてもよい。
【００１６】
この態様によれば、第１カラーフィルタ及び第２カラーフィルタの夫々の厚みを相互に一様に設定する場合に比べて、第１表示光及び第２表示光の夫々が第１カラーフィルタ及び第２カラーフィルタの夫々を透過する際の夫々の光路長を相互に揃えることができる。このような第１及び第２カラーフィルタの夫々の厚みを調整するためには、例えば、当該電気光学装置の製造プロセスにおいて、化学機械的研磨法（ＣＭＰ法）、或いはスピンコート法を適切な条件下で用いればよい。
【００１７】
本発明に係る電子機器は上記課題を解決するために上述した本発明の電気光学装置を具備してなる。
【００１８】
本発明に係る電子機器によれば、例えば、画像が表示される表示領域に対して平面的に見て視点の位置が固定され、且つ視点が表示面に近接した状態で使用されることによって、表示領域の各部分及び視点を相互に結ぶ各視線が表示面と交わる角度相互の差が大きくなるＨＭＤ或いはＥＶＦにおいて、明るさが一様な画像を表示し、且つ表示されるべき色で画像を表示可能になる。
【００１９】
本発明のこのような作用及び他の利得は次に説明する実施形態から明らかにされる。
【発明を実施するための最良の形態】
【００２０】
以下、図面を参照しながら、本発明に係る電気光学装置及び電子機器の各実施形態を説明する。
【００２１】
＜１：電子機器＞
先ず、図１及び図２を参照しながら、本発明に係る電子機器の一実施形態であるＨＭＤを説明する。図１は、本実施形態に係るＨＭＤを頭部に装着した状態を正面から見た正面図である。図２は、本実施形態に係るＨＭＤを頭部に装着した状態を側面から見た側面図である。
【００２２】
図１及び図２に示すように、ＨＭＤ３０１は、ＨＭＤ３０１が表示する画像を見るユーザ３０２の頭部３０２ａに装着された状態で使用される。ＨＭＤ３０１は、ユーザ３０２の右眼３０２ｂの前方に位置するディスプレイ部３０３を有している。ＨＭＤ３０１は、その動作時において、ディスプレイ部３０３の画像表示領域に画像を表示する。ユーザ３０２は、ＨＭＤ３０１の動作時において、ディスプレイ部３０３の画像表示領域に表示された画像を見る。ディスプレイ部３０３の画像表示領域に表示された画像によれば、ユーザ３０は、あたかも１００インチの大画面に表示された画像を視認できる。
【００２３】
ＨＭＤ３０１は、ユーザ３０２の頭部３０２ａにディスプレイ部３０３を装着するための装着部３０４を備えている。装着部３０４は、頭部３０２ａに沿うように延設されたほぼＵ字形状の保持部３０５と、両方の耳にかかるように延びたフレーム３０６とを備えている。保持部３０５及びフレーム３０６によれば、ＨＭＤ３０１がユーザ３０２の頭部３０２ａに固定されるため、ＨＭＤ３０１の使用時において、ディスプレイ部３０３と、ディスプレイ部３０３の画像表示領域に表示される画像を視認する視点である右眼３０２ｂとの相対的位置は固定されている。したがって、ディスプレイ部３０３の画像表示領域のうち視点と平面的に重なる位置（平面的に見て右眼３０２ｂに対応する位置）から右眼３０２ｂに向って出射される光と、ディスプレイ部３０３の画像表示領域のうち視点と平面的に重なる位置よりも外側の領域から右眼３０２ｂに向って出射される光との夫々が、ディスプレイ部３０３内のカラーフィルタを透過する際に生じ得る光路長の差に起因して右眼３０２ｂで視認される画像に差が生じる可能性がある。
【００２４】
特に、ユーザ３０２の頭部３０２ａに装着された状態で使用されるＨＭＤ３０１では、プロジェクタ、或いは、ユーザと離れた位置に配置された状態で当該ユーザが画像を視認する大型ディスプレイ装置等の表示装置と比べて、ディスプレイ部３０３と、画像を視認する視点である右眼３０２ｂとの距離が近い。より具体的には、例えば、ディスプレイ部３０３と、画像を視認する視点である右眼３０２ｂとの距離は、数ｃｍになる。したがって、ディスプレイ部３０３の画像表示領域の各部分から出射された表示光の夫々が、見かけ上相互に異なる厚みを各々有するカラーフィルタから出射されたように、右眼３０２ｂに視認されてしまう。より具体的には、各表示光がカラーフィルタを透過する際の各光路が相互に平行でないため、各表示光が相互に同じ厚みを有する同じ色相のカラーフィルタの夫々を透過したとしても、各カラーフィルタ内の光路長は相互に異なる。このように、各カラーフィルタ内の光路長が相互に異なることによって、各表示光の明るさや色の濃度が互いに同じ表示を行うべき場合であっても、視点である右眼３０２ｂで視認される各表示光の明るさや色の濃度に差が生じてしまう。
【００２５】
しかしながら、本実施形態に係るＨＭＤ３０１によれば、ディスプレイ部３０３として後述する液晶装置１を採用しているため、ディスプレイ部３０３の画像表示領域の各部分領域から出射される表示光間に生じる明るさや色の濃度の差を低減できる。したがって、ユーザ３０２は、明るさが一様であり、且つ本来表示されるべき色でＨＭＤ３０１に表示された画像を視認することが可能である。
【００２６】
尚、本実施形態では、本発明に係る電子機器の一実施形態としてＨＭＤを挙げたが、平面的に見て、画像を表示する画像表示領域内におけるユーザの視点の位置が固定された状態で使用される電子機器であれば、本発明に係る電子機器の概念に含まれる。より具体的には、例えば、ＥＶＦ等の電子機器も本発明に係る電子機器の概念に含まれる。
【００２７】
＜２：電気光学装置＞
次に、図３乃至図８を参照しながら、本発明に係る電気光学装置の一実施形態である液晶装置１を説明する。
【００２８】
＜２−１：電気光学装置の全体構成＞
図３は、本実施形態に係る液晶装置の平面図であり、図４は、図３のＩＶ−ＩＶ´断面図である。本実施形態では、電気光学装置の一例として、駆動回路内蔵型のＴＦＴアクティブマトリクス駆動方式の液晶装置１を挙げる。
【００２９】
図３及び図４において、液晶装置１では、ＴＦＴアレイ基板１０及び対向基板２０が相互に向かい合うように配置されている。ＴＦＴアレイ基板１０及び対向基板２０間に液晶層５０が封入されており、ＴＦＴアレイ基板１０及び対向基板２０は、本発明の「表示領域」の典型例である画像表示領域１０ａの周囲に位置するシール領域に設けられたシール材５２により相互に接着されている。画像表示領域１０ａは、各々に画素部が設けられた複数の画素領域から構成されている。
【００３０】
シール材５２は、ＴＦＴアレイ基板１０及び対向基板２０を相互に貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。
【００３１】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。尚、画像表示領域１０ａの周辺に位置する周辺領域が存在する。言い換えれば、本実施形態においては特に、ＴＦＴアレイ基板１０の中心から見て、この額縁遮光膜５３より以遠が周辺領域として規定されている。
【００３２】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００３３】
対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００３４】
図２において、ＴＦＴアレイ基板１０上には、画素スイッチング素子としてのＴＦＴや走査線、データ線等の配線が形成された後に形成された複数の画素電極９ａ上に、配向膜１６が形成されている。画素電極９ａは、例えばＩＴＯ（Indium Tin Oxide）膜などの透明導電性膜からなり、配向膜１６は、ポリイミド膜などの有機膜、或いは斜方蒸着法を用いて形成された無機配向膜である。ＴＦＴアレイ基板１０は例えば石英基板、ガラス基板等の透明基板、あるいはシリコン基板等の半導体基板である。
【００３５】
他方、対向基板２０上には、対向電極２１の他、格子状又はストライプ状の遮光膜２３、更には最上層部分に配向膜２２が形成されている。対向基板２０は、ＴＦＴアレイ基板１０と同様に透明基板である。液晶層５０は、例えば一種又は数種類のネマティック液晶を混合した液晶からなり、一対の配向膜間で、所定の配向状態をとる。
【００３６】
対向基板２０には、その全面に渡って対向電極２１が設けられており、その下側には、配向膜２２が設けられている。対向電極２１は例えば、ＩＴＯ膜などの透明導電性膜からなる。配向膜２２は、配向膜１６と同様の材料及び膜形成方法によって形成されている。
【００３７】
尚、図１及び図２に示したＴＦＴアレイ基板１０上には、これらのデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００３８】
＜２−２：画素部の電気的な接続構成＞
次に、図５を参照しながら、液晶装置１の画素領域における電気的な接続構成を詳細に説明する。図５は、液晶装置１の画像表示領域１０ａを構成し、且つマトリクス状に形成された複数の画素領域における各種素子、配線等の等価回路である。
【００３９】
図５において、液晶装置１の画像表示領域１０ａを構成するマトリクス状に形成された複数の画素領域の夫々には、画素電極９ａ及びＴＦＴ３０が形成されている。ＴＦＴ３０は、画素電極９ａに電気的に接続されており、液晶装置１の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００４０】
ＴＦＴ３０のゲートに走査線１１ａが電気的に接続されており、液晶装置１は、所定のタイミングで、走査線１１ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板２０に形成された対向電極２１との間で一定期間保持される。
【００４１】
液晶層５０に含まれる液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置から画像信号に応じたコントラストをもつ光が出射される。ここで保持された画像信号がリークすることを防ぐために、画素電極９ａと対向電極２１との間に形成される液晶容量と並列に保持容量７０が付加されている。保持容量７０の一方の容量電極は、固定電位に設定された固定電位線４００に電気的に接続され、他方の容量電極は、ＴＦＴ３０のドレインに電気的に接続されている。これにより、画素電極９ａにおける電位保持特性が向上し、コントラストやフリッカといった表示特性の向上が可能となる。
【００４２】
＜２−３：電気光学装置の具体的な構成＞
次に、図６乃至図８を参照しながら、本実施形態に係る液晶装置１の詳細な構成を説明する。図６は、本実施形態に係る液晶装置１の画像表示領域１０ａにおける部分断面図である。図７は、本実施形態に係る液晶装置と、当該液晶装置の画像表示領域１０ａに表示された画像を観測するユーザの視点との相対的な位置関係を模式的に示した模式図である。図８は、本実施形態に係る液晶装置の各部を透過する表示光と、カラーフィルタの厚みとの関係を模式的に示した模式図である。
【００４３】
図６において、液晶装置１は、ＴＦＴアレイ基板１０上に形成された下地膜４０を下地として各画素領域に画素電極９ａが形成されている。液晶装置１は、各画素領域に対応して対向基板２０側に設けられた３種類のカラーフィルタ２６Ｒ、２６Ｇ及び２６Ｂを備えている。カラーフィルタ２６Ｒ、２６Ｇ及び２６Ｂの夫々は、液晶装置１の動作時において、液晶層５０で変調された光のうち赤色光、緑色光及び青色光の夫々の色光を対向基板２０側に表示光として透過させる。各表示光は、表示面２０Ｓから出射され、画像表示領域１０ａにカラー画像が表示される。
【００４４】
図７において、液晶装置１は、その使用時において、画像表示領域１０ａを見るユーザ３０２の視点Ｐ１の位置が、平面的に見て画像表示領域１０ａにおける所定の位置Ｐ２ａ、例えば画像表示領域１０ａの中央部に固定される。
【００４５】
画像表示領域１０ａを構成する複数の画素領域のうち所定の位置Ｐ２ａに形成された第１画素領域７２ａでは、第１画素領域７２ａに設けられた液晶層の一部によって変調された変調光Ｌｐａ（図８（ａ）参照）が、第１画素領域７２ａに重なる例えば赤色のカラーフィルタを透過し、第１表示光Ｌａとして視点Ｐ１に向かって表示面２０Ｓから出射される。カラーフィルタ内部における第１表示光Ｌａの光路と、表示面２０Ｓ、即ち第１画素領域７２ａに設けられたカラーフィルタの表面とがなす角θ１の角度は９０°である。
【００４６】
一方、複数の画素領域のうち所定の位置Ｐ２ａよりも画像表示領域１０ａの外側寄りの位置Ｐ２ｂに設けられた第２画素領域７２ｂでは、第２画素領域７２ｂに設けられた液晶層の一部によって変調された変調光Ｌｐｂ（図８（ｂ）参照）が、第２画素領域７２ｂに重なる赤色のカラーフィルタを透過し、第２表示光Ｌｂとして視点Ｐ１に向かって表示面２０Ｓから出射される。カラーフィルタ内部における第２表示光Ｌｂの光路と、表示面２０Ｓ、即ち第２画素領域７２ｂに設けられたカラーフィルタの表面とがなす角θ２の角度は０°より大きく９０°より小さい。
【００４７】
ここで、仮に、第１画素領域７２ａに設けられたカラーフィルタと、第２画素領域７２ｂに設けられたカラーフィルタとの夫々の厚みが相互に等しい場合、第２画素領域７２ｂに設けられたカラーフィルタ内における第２表示光Ｌｂの光路長は、第２表示光Ｌａが第１画素領域７２ａに設けられたカラーフィルタ内を透過する際の光路長より大きくなるため、視点Ｐ１において第１表示光Ｌａ及び第２表示光Ｌｂの夫々を視認した時、第１表示光Ｌａと第２表示光Ｌｂとの間で明るさや色の濃度に差が生じてしまう。特に、表示面２０Ｓと視点Ｐ１との距離Ｄが小さくなるほど、その差は大きくなり、画像表示領域１０ａに表示される画像の明るさにムラが発生したり、画像表示領域１０ａに表示される画像の色相が、本来表示されるべき色相と異なったりする不具合が生じ得る。
【００４８】
次に、図８を参照しながら、図７に示した領域Ｃａ及びＣｂの夫々におけるカラーフィルタの厚みの相互関係を説明する。
【００４９】
図８（ａ）に示すように、液晶装置１は、第１画素領域７２ａ（図７参照）に設けられた赤色のカラーフィルタ２６Ｒａを備えている。カラーフィルタ２６Ｒａが、本発明の「第１カラーフィルタ」の一例である。図８（ｂ）に示すように、液晶装置１は、第２画素領域７２ｂ（図７参照）に設けられた赤色のカラーフィルタ２６Ｒｂを備えている。カラーフィルタ２６Ｒｂが、本発明の「第２カラーフィルタ」の一例である。
【００５０】
図８（ａ）及び（ｂ）に示すように、液晶装置１では、カラーフィルタ２６Ｒａ及び２６Ｒｂの夫々の厚みｄａ及びｄｂの夫々は、視点Ｐ１で観測される第１表示光Ｌａ及び第２表示光Ｌｂ相互に生じる明るさや色の濃度の差を低減するように設定されている。より具体的には、カラーフィルタ２６Ｒｂの厚みｄｂは、カラーフィルタ２６Ｒａの厚みｄａより薄く設定されている。
【００５１】
したがって、液晶装置１によれば、カラーフィルタ２６Ｒａ及び２６Ｒｂの夫々の厚みｄａ及びｄｂの夫々を相互に等しく設定する場合に比べて、第２表示光Ｌｂがカラーフィルタ２６Ｒｂを透過する際のカラーフィルタ２６Ｒｂ内の光路長ＰＬｂと、カラーフィルタ２６Ｒａ内における第１表示光Ｌａの光路長ＰＬａとを相互に略等しくすることができる。したがって、本実施形態に係る液晶装置１によれば、第１表示光Ｌａ及び第２表示光Ｌｂの夫々の光路長の違いによって発生する明るさや色の濃度の差を低減できるため、画像表示領域１０ａに表示される画像の明るさにムラが発生したり、画像表示領域１０ａに表示される画像の色相が、本来表示されるべき色相と異なったりすることを低減でき、当該液晶装置１の表示性能を高めることが可能である。
【００５２】
尚、本実施例では、画像表示領域１０ａを見るユーザ３０２の視点Ｐ１の位置が、平面的に見て画像表示領域１０ａの中央部に固定される場合について説明したが、視点Ｐ１の位置は画像表示領域１０ａの中央部に限定されるものではなく、また、θ１が９０°の場合について説明したが、９０°に限定されないことは言うまでもない。
【００５３】
また、カラーフィルタ２６Ｒａ及びＲｂの夫々の厚みを調整するためには、例えば、液晶装置１の製造プロセスにおいて、化学機械的研磨法（ＣＭＰ法）を用いてカラーフィルタの下地膜を凹面化処理したり、スピンコート法を用いてカラーフィルタの厚みを調整したりすればよい。
【図面の簡単な説明】
【００５４】
【図１】本実施形態に係るＨＭＤを頭部に装着した状態を正面から見た正面図である。
【図２】本実施形態に係るＨＭＤを頭部に装着した状態を側面から見た側面図である。
【図３】本実施形態に係る液晶装置の平面図である。
【図４】図３のＩＶ−ＩＶ´断面図である。
【図５】本実施形態に係る液晶装置の画像表示領域を構成し、且つマトリクス状に形成された複数の画素領域における各種素子、配線等の等価回路である。
【図６】本実施形態に係る液晶装置の画像表示領域における部分断面図である。
【図７】本実施形態に係る液晶装置と、当該液晶装置の画像表示領域１０ａに表示された画像を観測するユーザの視点との相対的な位置関係を模式的に示した模式図である。
【図８】本実施形態に係る液晶装置の各部を透過する表示光と、カラーフィルタの厚みとの関係を模式的に示した模式図である。
【符号の説明】
【００５５】
１・・・液晶装置、１０・・・ＴＦＴアレイ基板、２０・・・対向基板、２６Ｒ，２６Ｇ，２６Ｂ，２６Ｒａ，２６Ｒｂ・・・カラーフィルタ
【図１】
2010054775.tif 000003
【図２】
2010054775.tif 000004
【図３】
2010054775.tif 000005
【図４】
2010054775.tif 000006
【図５】
2010054775.tif 000007
【図６】
2010054775.tif 000008
【図７】
2010054775.tif 000009
【図８】
2010054775.tif 000010